(57)【特許請求の範囲】
【請求項１】
熱交換器に室内空気を送風する送風ファンと、
静電霧化装置と、
前記静電霧化装置の霧化部へ供給する霧化用水を生成する水生成部と、
前記水生成部を構成し、低温部に配置された冷却面及び高温部に配置された放熱面を有し、空気中の水分を結露させるペルチェ素子と、
前記水生成部で得られる結露水を前記霧化部に導く導水経路と、
前記送風ファンの運転により空気の吸込み口から吹出し口に流れる主気流を形成する主流路と、
前記主気流を形成する前記主流路の外部であって前記放熱面よりも下方に形成された空気流入用の第１開口から、前記放熱面よりも上方であって前記主流路の風路壁に形成された第２開口に向かい、前記主気流により誘引される副気流を形成する副流路と、を備え、
前記ペルチェ素子の前記放熱面に設けられた放熱板と前記冷却面に設けられた冷却板とが、前記副気流を形成する前記副流路の中に順に配置されることを特徴とする空気調和機。
【請求項２】
請求項１において、前記冷却板が配置された冷却空間を備え、前記放熱板と熱交換した前記副気流が前記冷却空間に流入することを特徴とする空気調和機。
【請求項３】
請求項２において、前記冷却板の下方に間隔を空けて前記導水経路の一部を構成する吸水性水搬送部材を配置し、前記冷却板に結露した結露水を前記吸水性水搬送部材に滴下又は流下させることを特徴とする空気調和機。
【請求項４】
請求項１乃至３の何れかにおいて、前記送風ファン及び前記ペルチェ素子に通電することにより、前記放熱板により上昇気流を生じさせるとともに、前記上昇気流と同方向の前記主気流に誘引された前記副気流を生じさせることを特徴とする空気調和機。
【請求項５】
請求項１乃至４の何れかにおいて、前記第１開口が空気調和機筐体の背面下部に開口していることを特徴とする空気調和機。
【請求項６】
請求項１乃至５の何れかにおいて、前記第２開口がフィルターと前記熱交換器の間の前記主風路に開口していることを特徴とする空気調和機。
【請求項７】
請求項１乃至６の何れかにおいて、空気調和機筐体の長手方向に対して、前記主流路の前記風路壁側から順に、前記第２開口、前記放熱面、前記第１開口が位置することを特徴とする空気調和機。
【請求項８】
請求項１乃至７の何れかにおいて、前記放熱板に前記放熱フィンを備え、前記放熱フィンの方向を鉛直方向としたことを特徴とする空気調和機。
【請求項９】
請求項１乃至８の何れかにおいて、前記冷却空間の上方に、庇状の開口制限部材を設けることを特徴とする空気調和機。
【請求項１０】
請求項１乃至９の何れかにおいて、前記冷却板が配置された冷却空間と前記霧化部が配置された前記空気吹出し口とを連通する通路を備え、前記冷却空間内の空気が前記通路を介して前記空気吹出し口から室内に送風されることを特徴とする空気調和機。
【発明の詳細な説明】
【技術分野】
【０００１】
本発明は静電霧化装置を搭載した空気調和機にかかり、特に、霧化用水の供給機構の改良に関する。
【背景技術】
【０００２】
空気調和機は室内空気を熱交換器に循環させて、加熱，冷却，除湿機能などにより調整し、これを室内に吹出すことにより室内を空気調和する。このとき、温度，湿度の調節以外にも様々な機能を付加し、室内を清浄で、快適な空間にすることが行われている。
【０００３】
室内には、生活に付随して種々の臭いの発生源が生じ、そのあるものは鼻の臭気細胞を刺激し、臭いとして感知される。これらの臭い発生源は、気体，小液滴，微細な塵埃などであり、いずれも、放置しておくと宇宙線などにより電離した空気中のイオンなどと衝突して帯電したり、重力のため沈降したり、気流により壁に衝突したりして、室内の壁，家具，床，天井などの固定物に吸着され室内の空気中から取除かれ、または、活性物質と遭遇し分解，変成されて、臭いは消えてしまう。しかし、分解されないで、部屋の壁や床などに吸着，沈降した臭いの発生源は、温度が上がったり、風が当ったり、掃除で舞い上がったりすると、また、室内空気に浮遊することになり、臭いとして感じられるようになる。
【０００４】
このように、吸着などにより室内の壁などに付着している臭いの発生源を分解，変成するため、ＯＨラジカルなどの活性物質を微細な水滴に付与して、長寿命化し、臭いの発生源に遭遇させ、脱臭する試みが行われている。
【０００５】
そのひとつとして、室内に吹出す空気に静電霧化方式により帯電した微細粒の水を放出し、室内を脱臭する方法が考えられ、これを具現化するために種々の工夫が凝らされている。
【０００６】
この種の従来技術として、特開２００５−２５４２０８号公報，特開２００７−１３７２８２号公報，特開２００５−１３１５４９号公報，特開２００３−１７２９７号公報，実公平０７−０２８４９６号公報，実公平０７−０４０９０２号公報が知られている。
【０００７】
特許文献１は、空調機器に備えた熱交換器で生じた結露水を給水する給水手段を設けた貯水部と、貯水部の水を搬送する搬送部と、搬送部の先端側に配置した対向電極と、搬送部の水に電圧を印加する印加電極と、対向電極と印加電極との間に高電圧を発生させる電圧印加部とを有し、多孔質のセラミック材料で構成した搬送部の先端で水を霧化させるようにした静電霧化装置が開示されている。空調機器の熱交換器で生じた結露水を給水することにより、搬送部先端での不純物の析出付着を抑制してセラミック材料の微少空隙の目詰まりを回避し、搬送部の長寿命化を図って使い勝手を向上させるものである。
【０００８】
特許文献２は、空調ユニットに設けたダクト内のベント吹出口近傍に静電霧化装置を配設し、この静電霧化装置にペルチェ素子を設け、このペルチェ素子の低温部で空調風に含まれる水分を結露させて結露水を得る。この結露水に高電圧を印加してナノメーターサイズの微細な水の粒子を得るとともに、この粒子に帯電させる。この帯電した水の粒子を空調風に乗せて車室内に行き渡らせて、水の補給作業を不要にして快適な空調空間を手軽に実現できる空調装置について述べている。
【０００９】
特許文献３は、静電霧化装置を、毛細管現象によって水を搬送する電極（水搬送部）と、この電極（水搬送部）への水の供給手段としてペルチェ素子等の吸熱面を冷却して空気中の水分を結露させる手段と、電極（水搬送部）に電圧を印加して水分を霧化する構成が開示されている。これにより、使用者に水補給の手間を強いることなく且つ、水中の不純物が電極（水搬送部）に析出して付着しないようにしてメンテナンスフリーとしている。
【００１０】
特許文献４は、空気清浄器などに利用される放電装置において、電極が点状の放電部を有し、この放電部がその表面に水などの導電性液体を毛細管現象を利用して供給すること、及びペルチェ素子などの冷却手段により放電部を冷却して表面に空気中の水分を凝縮してメンテナンスフリーとする構成が開示されている。
【００１１】
特許文献５は、二組のペルチェ素子を用いて、一方の熱交換面を冷却して空気中の水分を凝縮させ、この凝縮水を吸湿性部材を用いてもう一方の熱交換面に送って加熱されて加湿をするようにして、水の補給の必要のないメンテナンスフリーとした調湿器が開示されている。
【００１２】
特許文献６は、ペルチェ素子の冷却面で冷却する吸熱面と、この吸熱面に空気中の水分を結露させる空気の流路と、ペルチェ素子の放熱面の熱を奪う空気の流路とを備え、この二つの空気の流路を別流路としている。これによって、前記放熱面で暖められた空気が吸熱面を暖めることがなく、吸熱面に空気中の水分を結露し易くして静電霧化装置を継続的に使用することができるようにしている。
【００１３】
【特許文献１】特開２００５−２５４２０８号公報
【特許文献２】特開２００７−１３７２８２号公報
【特許文献３】特開２００５−１３１５４９号公報
【特許文献４】特開２００３−１７２９７号公報
【特許文献５】実公平０７−０２８４９６号公報
【特許文献６】特許第３９８００５１号公報
【発明の開示】
【発明が解決しようとする課題】
【００１４】
現在、家庭用の空気調和機は、環境への配慮が求められ、省資源，省エネを強く要求されるようになった。加えて、使用時にも室内の環境を悪化させずに、快適にする製品が求められている。
【００１５】
特許文献１では図８のように放熱部，水生成部を吹出し風路に置くので、吹出し気流が乱れ、風量の減少を招いたり、騒音の原因になったりする。また、冷房運転時には、気流の乱れで局部的な露付が発生し空気調和機の周囲を汚す恐れがある。更に、暖房時には水生成部が暖房の温風に曝されるため、水生成部の冷却が不充分となり結露し難くなり、結露水が確保できなくなる。
【００１６】
特許文献２では図９のようにペルチェ素子の放熱部に放熱用のファンを備えているので、部品が余分に必要になり、装置の質量が増し、空気調和機の据付けや取扱いの時の負担が増すと共に省資源にも反する。また、これを駆動する電力も必要となり省エネにも反し、質量も増加するので燃費も悪化する。
【００１７】
また、図８のように放熱部，水生成部を吹出し風路に置くので、特許文献１と同様に、種々の不都合な点がある。
【００１８】
特許文献３〜６では同様に、ペルチェ素子の放熱部，吸熱部に専用のファンを備えているので、電動機などの部品が必要で、装置の質量が増し、装置の据付けや取扱いの時の負担が増す。また、これを駆動する電力も必要となる。
【００１９】
本発明が解決しようとする課題は、静電霧化装置を搭載して、室内環境を快適にしつつ、省資源，軽量，省エネに適する空気調和機を提供することにある。
【課題を解決するための手段】
【００２０】
上記課題を解決するため、本発明の空気調和機は、熱交換器に室内空気を送風する送風ファンと、静電霧化装置と、静電霧化装置の霧化部へ供給する霧化用水を生成する水生成部と、水生成部を構成し、低温部に配置された冷却面及び高温部に配置された放熱面を有し、空気中の水分を結露させるペルチェ素子と、水生成部で得られる結露水を霧化部に導く導水経路と、送風ファンの運転により空気の吸込み口から吹出し口に流れる主気流を形成する主流路と、主気流を形成する主流路の外部であって放熱面よりも下方の位置に形成された空気流入用の第１開口から、放熱面よりも上方の位置であって主流路の風路壁に形成された第２開口までの副気流を形成する副流路と、を備え、ペルチェ素子の放熱面に設けられた放熱板と冷却面に設けられた冷却板とが、副気流を形成する副流路の中に順に配置される。
【発明の効果】
【００３１】
本発明によれば、静電霧化装置を搭載して、低騒音で室内環境を快適にしつつ、省資源，軽量，省エネに適する。
【発明を実施するための最良の形態】
【００３９】
以下、本発明の実施例について図を用いて説明する。図における同一符号は同一物または相当物を示す。
【実施例１】
【００４０】
空気調和機の全体構成を、図１，図２を用いて説明する。図１は空気調和機の一例を示す構成図である。図２は同空気調和機の室内機の側断面図である。
【００４１】
空気調和機１は、室内機２と室外機６とを接続配管８で接続している。室内機２は、筐体ベース２１の中央部に室内熱交換器３３を置き、熱交換器３３の下に熱交換器３３の幅と略等しい長さの横流ファン方式の送風ファン３１１を配置し、露受皿３５等を取付けている。これらを化粧枠２３で覆い、化粧枠２３の前面に前面パネル２５を取付けている。この化粧枠２３には、室内空気を吸込む空気吸込み口２７と、温湿度の調整された空気を吹出す空気吹出し口２９とが上下に設けられている。吹出し風路２９０途中に、気流を左右方向に偏向する左右風向板２９５を備え、吹出し口２９には、気流を上下方向に偏向する上下風向板２９１を備えている。
【００４２】
上記送風ファン３１１がファンモータ３１３により回転すると、室内空気が室内機２に設けられた空気吸込み口２７から室内熱交換器３３，送風ファン３１１を通って空気吹出し口２９から吹出される。
【００４３】
筐体ベース２１には、送風ファン３１１，フィルター２３１，２３１′，室内熱交換器３３，露受皿３５，上下風向板２９１，左右風向板２９５等の基本的な内部構造体が取付けられる。そして、これらの基本的な内部構造体は、筐体ベース２１，化粧枠２３，前面パネル２５からなる筐体２０に内包され室内機２を構成する。
【００４４】
また、前面パネル２５の下部には、運転状況を表示する表示部３９７と、リモコン５からの操作信号の受光部３９６とが配置されている。
【００４５】
化粧枠２３の下面に形成される空気吹出し口２９は、吹出し風路２９０に連通しており、２枚の上下風向板２９１と、左右風向板２９５を備える。
【００４６】
可動パネル２５１は、下部に設けた回動軸を支点として駆動モータにより回動され、空気調和機１の運転時に前面空気吸込み部２３０′を開くように構成されている。
【００４７】
上記構成によって、空調される室内空気が流れる主風路を形成している。即ち、送風ファン３１１を運転することで、室内空気は空気吸込み口２７から吸込まれ、フィルター２３１，２３１′を介し、室内熱交換器３３にて熱交換された後、空気吹出し口２９から室内に吹出される。
【００４８】
次に、実施例の静電霧化装置について図３〜図９を用いて説明する。図３は実施例を示す室内機の静電霧化装置の構成の模式図、図４は同室内機の霧化装置の水生成部の左側断面図、図５は同室内機の前面パネルと化粧枠を取外した斜視図、図６は同水生成部を正面から見た断面図、図７は同水生成部の背面図、図８は図７のＡ−Ａ断面図、図９は図７の部分Ｂ視図である。
【００４９】
静電霧化装置４２は高電圧発生装置４５０と、高電圧発生装置４５０の高電圧端子４５１から伸びる導電体４２９と、導電体４２９に霧化接続部４２４で吸水時に電気的に接触する霧化電極４２２及びイオン電極４２８と、霧化電極４２２に供給する水の水生成部４４０などで構成される。
【００５０】
この高電圧発生装置４５０で発生させた−３ｋＶ〜−６ｋＶの高電圧を霧化電極４２２及びイオン電極４２８に印加し、水生成部４４０から供給した水分を霧化電極４２２先端から微細粒にして且つ帯電させ放出する。また、イオン電極４２８からイオンを放出させる。
【００５１】
実施例は、室内機２の吹出し風路側壁２９０ｃから吹出し風路２９０に突出させて、上記霧化電極４２２及びイオン電極４２８を収納した放出部４３０を設けている。
【００５２】
上記水生成部４４０は、ペルチェ効果を利用して空気から水分を凝縮させる方式である。ペルチェ素子４４１の低温部４４２に冷却板４２５を、高温部４４４に放熱板３３８を取付けている。冷却板４２５は、図３及び図６に図示のとおり、ペルチェ素子４４１の低温部４４２に電気絶縁シート４４３を挟んで密着させ、周囲の空気中の水分を冷却して凝縮させる。水生成部４４０は、上記構成部材で構成されている。
【００５３】
冷却板４２５の下方には、図６に図示のとおり空間を介して吸水性水搬送部材４２３が設けられ、冷却板４２５の表面に結露した結露水が滴下したのを受けて保持する。吸水性水搬送部材４２３は、結露した水が毛細管現象で移動するように多孔質や繊維質の素材で構成されている。吸水性水搬送部材４２３には、適所に穴を設けており、この穴に前記の霧化電極４２２の導水部４２２ｂ端部を挿入する。これにより、吸水性水搬送部材４２３に保持された水分が、毛細管現象で導水部４２２ｂを通して霧化部４２２ａに供給される。冷却板４２５の表面に結露した水を受けて保持する。上記吸水性水搬送部材４２３と霧化電極４２２の導水部４２２ｂが、結露水を前記霧化部４２２ａに導く導水経路を構成する。
【００５４】
冷却板４２５の面は、冷却空間４２５ｃに面すると共に鉛直方向に平行に設けられている。冷却空間４２５ｃは、背部を開口した冷却空間開口４２５ｄを形成するように、下方を結露水受け部材４４７、上部および冷却板４２５の対面を露受皿３５の底部の凹所、前部を集塵ボックス収納部２８１ｅなどで覆っている。但し、冷却空間開口４２５ｄだけでは空気の流れが殆どなくなってしまい、結露水が不足するため、下方に気流を確保できる隙間を設けている。下方以外にも、組立てを容易にするための隙間が形成されているが、背面及び下方に較べれば隙間寸法は小さい。特に、冷却板４２５の上方の隙間は小さくしている。
【００５５】
送風ファン３１１を駆動すると共に、静電霧化装置４２を運転する場合は、高電圧発生装置４５０により負の高電圧を霧化電極４２２及びイオン電極４２８に印加する。
【００５６】
このとき、イオン電極４２８から周辺の空気にむけてコロナ放電が起こり、電子が放出され、イオンが発生する。また、霧化電極４２２からは帯電した微細粒の水が放出され、このイオンおよび帯電した微細粒の水が吹出し風路２９０に放出され、吹出し気流に乗って室内に吹出され、室内空気の質を向上させるなどの効果を発揮する。
【００５７】
このとき、図２，図３に図示のように送風ファン３１１の運転により吸込み口２７から吹出し口２９に流れる主気流に誘引されて、ペルチェ素子４４１周辺の空気に連通する筐体２０の背面下部に設けた背面開口２７ａから、主気流のファン上流の風路壁に形成された風路壁開口２７ｃへの副気流が生じる。この副気流とペルチェ素子４４１の放熱板３３８の放熱によって生じた上昇気流との合成気流によって、ペルチェ素子４４１の周りに副気流の一部を構成する気流が形成される。この副気流によって、ペルチェ素子４４１の高温部４４４から放熱が行われる。放熱により温度の上昇した副気流は主気流の風路壁に形成された風路壁開口２７ｃを通って主気流に合流し、吹出し口２９から室内に吹出される。この時、ペルチェ素子４４１からの放熱を良くするため、高温部４４４に取付けた放熱板３３８に放熱フィン３３８ａを設けている。この放熱フィン３３８ａの長寸方向を鉛直方向に略平行に設けて、ペルチェ素子４４１からの放熱を受けて上昇する副気流の流れをより加速している。このようにすると少ないスペースであっても、効果的な放熱が行われるようになる。
【００５８】
図３から図９において白抜き矢印は、吸込み口２７若しくは筐体背面開口２７ａから流入した空気の流れを示し、破線矢印及び実践矢印は、静電霧化装置４２の水生成部４４０によって形成される気流の流れを示す。
【００５９】
また、ペルチェ素子４４１への通電により、ペルチェ素子４４１の低温部４４２が低温になり、冷却板４２５が冷却される。この温度が冷却空間４２５ｃの露点温度より下がると、冷却空間４２５ｃの空気中の水分が冷却板４２５の表面に結露してくる。この冷却板４２５により冷却された冷却空間４２５ｃ内の空気は重くなり、図３，図４，図７，図９の矢印で図示のように冷却板４２５に沿って下降流が生ずる。この下降流により、上記放熱フィン３３８ａの下部背面側で暖められた空気の一部が冷却空間開口４２５ｄから冷却空間４２５ｃ内に流入する。
【００６０】
前記放熱フィン３３８ａの下部背面側で暖められた空気がそのまま上昇しないように、筐体２０の背面下部に設けた背面開口２７ａの上部部分を、図４，図７に図示のように放熱フィン３３８ａの下部背面の空気に露出する面の直ぐ上で暖気の上昇を妨げる構造にして冷却空間４２５ｃに流入するようにしている。
【００６１】
また、下降流により、冷却板４２５の下部に流下した冷えた空気は、図３，図４，図７，図９の矢印で図示のように、結露水受け部材４４７と他の部品との隙間を通って冷却空間４２５ｃの下方外部に流出し、上記放熱フィン３３８ａ内を上昇する副気流に誘引されて合流し、風路壁開口２７ｃへ流れていく。
【００６２】
また、上記冷却板４２５により冷却された冷却空間４２５ｃ内の空気が下降流を生ずると、上記放熱フィン３３８ａの下部背面側で暖められた空気の一部が冷却空間開口４２５ｄから冷却空間４２５ｃ内に流入するので、温度差が大きく、空気流が少なくても結露する量が多くなり、室内空気の温度及び湿度が低いときでも充分な結露量を確保することができる。冷却空間４２５ｃ内に流入する空気の流量が多すぎると、冷却板４２５の温度が露点温度以下に冷却できなくなるので、空気流量は少なく、上記のように放熱フィン３３８ａの下部背面側で暖められた空気のように適度に高い温度の空気が流入するのが好ましい。
【００６３】
このような構造にしたことによって、空気中の水分が冷却板４２５に移動して、結露が連続的に起こって、水の供給が充分確保できる。上記結露した水は次第に大きくなり、鉛直方向に平行に設けた冷却板４２５の表面を流下し、下端の冷却板屈曲部４２５ａから下方に設けた吸水性水搬送部材４２３に滴下する。滴下した水滴は吸水性水搬送部材４２３に吸収され、毛細管現象で霧化電極４２２の導水部４２２ｂに達し、霧化部４２２ａに送られる。霧化電極４２２に高電圧発生装置４５０から高電圧が印加されると、霧化部４２２ａから帯電した微細粒の水が霧化して気流により室内空間に吹出される。霧化した帯電微細粒の水は、気流に乗って室内に充満して、前述のように室内の空気や壁，カーテン，家具等の臭気成分に脱臭効果を発揮する。
【００６４】
このように、送風ファン３１１の運転によって筐体２０背面下部の背面開口２７ａを通り、主気流の風路壁に形成された風路壁開口２７ｃに流れる副気流が生じる。このため、放熱板３３８が副気流で冷却され、冷却板４２５を確実に周辺の空気の露点温度以下に制御することができる。
【００６５】
また、上記冷却板４２５により冷却された冷却空間４２５ｃ内の空気が下降流を生ずると、図４，図７，図８，図９に矢印で図示のように上記放熱フィン３３８ａの下部背面側で暖められた空気の一部が冷却空間開口４２５ｄから冷却空間４２５ｃ内に流入するので、温度差が大きく、空気流が少なくても結露する量が多くなり、室内空気の温度及び湿度が低いときでも充分な結露量を確保できる。
【００６６】
但し、冷却空間開口４２５ｄ寸法が大きすぎると、冷却空間４２５ｃ外の空気が冷却空間４２５ｃ内への流入が過剰になって、冷却板４２５の温度が上昇して、露点温度以下に冷却できなくなり、結露が進まなくなる。更には、冷却板４２５の上方に流れる気流を形成してしまう構成であると、例えば冷却空間４２５ｃの上部に大きな開口があると、風路壁開口２７ｃに向かって直接上昇する流量の大きな気流が生じてしまうため、冷却板４２５の上方に流れる流路が形成されないようにしなければならない。
【００６７】
しかし、最近は多機能でありながら小型化のニーズが、より一層求められている。このため、多くの部品を小さなスペースに組込まなければならず、複雑な部品形状になっており、組立てる為の部品間の隙間寸法を従来より大きくすることが必要になってきている。このため、風路壁開口２７ｃに近く、最も影響の大きい冷却板４２５の上方の隙間寸法を小さくする為、庇状の開口制限部材４２５ｂを設け、結露の量に大きな影響の生じないように、その大きさを実験で確かめながら極力大きくするように決定する。これによって、結露の量に大きな影響を生じることなく且つ、組立性を犠牲にすることを抑制できる。
【００６８】
次に、実施例の自動清掃装置について図４，図５，図１０を用いて説明する。図１０は同室内機の清掃装置の斜視図である。
【００６９】
室内熱交換器３３の上流側に上面空気吸込み部２３０及び前面空気吸込み口２３０′が形成されている。上面空気吸込み部２３０は略水平に配置され、前面空気吸込み口２３０′は鉛直方向に略平行に配置され、これらは室内機２の直交する二面を構成している。上面空気吸込み部２３０及び前面空気吸込み口２３０′に平面状のフィルター２３１，２３１′を設けている。フィルター２３１，２３１′は案内枠２３４に係着されている。案内枠２３４は、上面後部と前面下部にレール２３５，２３５′を備え、フィルター２３１，２３１′の交叉部に推進軸２４３を備えている。
【００７０】
なお、同一の機能を有する部分が上面フィルター２３１用と、前面フィルター２３１′用にある場合は、前面フィルター２３１′用の部分に上面フィルター２３１用の部分の符号に「′」をつけて区別する。
【００７１】
以下、フィルター２３１，２３１′の清掃装置２４０の動作を前面のフィルター２３１′を例にとって説明する。
【００７２】
フィルター２３１′を清掃するときは推進軸２４３を回転させ、キャリッジ２６１を推進軸２４３の軸方向に移動させ、キャリッジ２６１に固定した刷毛支持枠２６２′を介して、刷毛支持枠２６２′に取付けられた軟毛の掃除用刷毛２６７′でフィルター２３１′の全面を掃く。フィルター２３１′上の塵埃を掃きとった掃除用刷毛２６７′は更に左方向に移動し、塵埃を除塵ブラシ２７０′に擦り付ける。
【００７３】
このように、フィルター２３１′上の塵埃は掃除用刷毛２６７′で掃き寄せられ、左端の除塵ブラシ２７０′に達し、除塵ブラシ２７０′で掻き取られ、除去塵埃ホッパー２８１から集塵ボックス２８４に滴下して集塵される。こうして、塵埃は、集塵ボックス２８４に集塵され外部に戻ることはない。
【００７４】
このとき、清掃動作の開始を、予め定めたフィルター清掃動作の条件、例えば、送風ファン３１１の累計運転時間が前回の清掃実行時から３０時間を超え、且つ、直前の運転で送風ファン３１１の運転が１０分以上である等の条件を満たしていれば、清掃動作を開始する。
【００７５】
このように制御することにより、フィルター２３１′が常に塵埃の少ない状態に保たれるので、フィルター２３１′の汚れに起因する熱交換器３３の性能低下を防ぎ、かつ、吹出し空気を清潔に保つことができる。また、静電霧化装置４２で発生させた帯電した微細粒の水を横流ファンの整流された気流に乗せて室内の遠方まで運搬し、帯電した微細粒の水の脱臭作用を室内の広範囲で発現させることができる。
【００７６】
集塵ボックス２８４内の塵埃を捨てる場合は、集塵ボックス２８４を外し、内部の塵埃を掻き出す。
【００７７】
このような、フィルターの自動清掃装置２４０を備えることにより、静電霧化装置４２による空気質の改善と相俟って、室内を快適に、清潔に保つことができる。
【００７８】
このように、実施例の空気調和機１は、熱交換器に室内空気を送風する送風ファン３１１と、静電霧化装置と、該静電霧化装置へ供給する霧化用水を生成する水生成部４４０と、該水生成部４４０に内蔵され、空気中の水分を結露させる冷却板４２５を冷却するペルチェ素子と、該水生成部４４０で得られる結露水を前記霧化電極４２２ａに導く導水経路とを備え、前記送風ファン３１１の運転により吸込み口から吹出し口に流れる主気流と、該吹出し口の前記ペルチェ素子４４１側の端部（前記主気流の風路壁）から空気調和機１の筐体２０端部までの間の筐体２０背面下部に設けた開口２７ａを入口とし、前記主気流の風路壁の上部に形成された開口２７ｃを出口とする流路を形成する副気流を生ぜしめ、該副気流の流路中に前記ペルチェ素子４４１の高温部４４４に取付けられた放熱板３３８を位置させると共に、該副気流に臨んで上下に長い冷却空間開口４２５ｄを有する冷却空間４２５ｃを形成し、該冷却空間４２５ｃに面して前記冷却板４２５を鉛直方向に平行に設ける。
【００７９】
一般に、静電霧化で微細粒の水を帯電させて室内に浮遊させると、その電荷によりラジカルが生じるなどして脱臭作用を示すことが知られている。このとき、静電霧化させる水の量が極めて僅かでも、ナノレベルの微細粒の水のため、その個数は膨大になり、脱臭効果が現れる。
【００８０】
このため、静電霧化装置に供給する霧化用水の量も少なく済み、ペルチェ素子４４１の冷却板４２５に結露させるための気流の量も多くなくても良い。
【００８１】
実施例の空気調和機１によれば、熱交換器に室内空気を送風する送風ファン３１１と、静電霧化装置と、該静電霧化装置へ供給する霧化用水を生成する水生成部４４０と、該水生成部４４０に内蔵され、空気中の水分を結露させる冷却板４２５を冷却するペルチェ素子４４１と、該水生成部４４０で得られる結露水を前記霧化電極４２２ａに導く導水経路とを備え、前記送風ファン３１１の運転により吸込み口から吹出し口に流れる主気流と、該吹出し口の前記ペルチェ素子４４１側の端部（前記主気流の風路壁）から前記空気調和機１の筐体２０の該ペルチェ素子４４１側の端部までの間の背面下方位置に設けた開口２７ａを入口とし、前記主気流の風路壁の上方位置に形成された開口２７ｃを出口とする流路を形成する副気流を生ぜしめ、該副気流の流路中に前記ペルチェ素子４４１の高温部４４４に取付けられた放熱板３３８を位置させると共に、該副気流に臨んで上下に長い冷却空間開口４２５ｄを有する冷却空間４２５ｃを形成し、該冷却空間４２５ｃに面して前記冷却板４２５の面を鉛直方向に平行に設ける。
【００８２】
これにより、ペルチェ素子４４１によって、冷却板４２５が冷やされ、冷却板４２５付近の空気中の水分が冷却板４２５に凝縮し、結露が生ずる。この冷却板４２５付近の空気は冷やされて重くなり、冷却板４２５に沿って下降流が生ずる。下降流により、空気が薄くなった冷却板４２５の上部には、それを埋めるように、冷却空間４２５ｃの空気が流入する。また、下降気流により、冷却板４２５の下部に溜った冷えた空気は、結露水受け部材４４７に遮られて、冷却空間の壁に沿って上昇し、冷却空間４２５ｃに自然対流が起きる。冷却空間開口４２５ｄ付近では冷却空間４２５ｃの自然対流と冷却空間４２５ｃ外の副気流が混じりあい、内外の気流の間で温度，湿度の交換が行われる。
【００８３】
このようにして、副気流の水分が冷却板４２５に移動し、結露が連続的に起こって、霧化用水の供給が可能になる。上記冷却空間内の自然対流する冷えた空気の一部は、冷却空間４２５ｃの空気の流入量に相当する量が結露水受け部材と隣接する部材との隙間から下降して室内機の筐体下部空間に流れ出る。この筐体下部空間に流出した冷えた空気は、空気調和機１の筐体２０の背面下方位置に設けた開口２７ａから流入した空気の一部と混ざって、放熱板３３８で加熱されて上昇気流となり、副気流の一部となる。
【００８４】
副気流は熱交換器に室内空気を送風する送風ファン３１１の運転に伴って生ずる送風ファン３１１より上流の負圧に誘引されて引き起こされる。該吹出し口の前記ペルチェ素子４４１側の端部（前記主気流の風路壁）から空気調和機１の筐体２０の該ペルチェ素子４４１側の端部までの間の背面下方位置に設けた開口２７ａから流入した副気流は、ペルチェ素子４４１の放熱板３３８からの熱を受け、上昇気流となって上昇し、空気調和機１上部の吸込み口から送風ファン３１１までの間の開口から流出し、主気流に合流し、送風ファン３１１に吸込まれ、空気調和機１から吹出される。このとき、上記の冷却空間開口４２５ｄ付近を通る副気流は、冷却空間の自然対流と混合し、その一部が内部の自然対流と入替わる。
【００８５】
この副気流の量は多くなく、冷却空間の自然対流の量も同様に少ない。しかし、前述のように、結露させるための気流の量も多くなくて良いので、静電霧化により脱臭の効果を得ることができる。なお、静電霧化により、微細粒の水が発生し、含まれるラジカルなどにより、臭いの原因物質を分解するなどするが、最終的には、水蒸気となって室内空気に戻るので、一見加湿の効果も有るように見えるが、もともと、霧化用水を室内空気から得ているので加湿の効果は生じない。
【００８６】
このように、空気調和用の送風ファン３１１を運転し、ペルチェ素子４４１に通電することにより、冷却空間と冷却空間外の空気を流動させるので、水生成部４４０のための専用のファンが不要となり、資源の節約および軽量化が図れる。また、水生成部４４０専用のファンを運転するためのエネルギーも不要となる。
【００８７】
このため、静電霧化装置を搭載して、室内環境を快適にしつつ、省資源，軽量，省エネに適する空気調和機１を提供することができる。
【００８８】
また、実施例の空気調和機１は、前記筐体に設けた開口の一つが背面下部に開口している。
【００８９】
これにより、使用者の目に付かない背面に開口することで、外観を損なうこと無く、副気流の入口を設けることができ、ペルチェ素子４４１の放熱による上昇気流が円滑に形成される。これにより水生成部４４０が充分冷却されて、結露が順調に進む。
【００９０】
このため、外観を損なうこと無く、霧化用水の供給が確実に行われる空気調和機１を提供することができる。
【００９１】
また、実施例の空気調和機１は、前記風路壁に形成された開口２７ｃがフィルターと熱交換器の間の風路に開口している。
【００９２】
これにより、使用者の目に付かない内部に開口することで、外観を損なうこと無く、副気流の出口を設けることができ、上述と同様に、霧化用水の供給が確実に行われる空気調和機１を提供することができる。
【００９３】
また、実施例の空気調和機１は、前記放熱板３３８に放熱フィンを備え、放熱フィンの長寸方向を鉛直方向に略平行にする。
【００９４】
これにより、副気流の生成が、送風ファン３１１の運転に伴う誘引力およびペルチェ素子４４１の放熱板３３８からの放熱に伴う気流の熱膨張による上昇力によって生ずる。この副気流が放熱フィン３３８ａに沿ってスムーズに上方に流れ、放熱が円滑に行われる。
【００９５】
このため、放熱板３３８の冷却が効率良く行われ、水生成部４４０が十分冷却されて、結露が順調に進み、霧化用水の供給が確実に行われる空気調和機１を提供することができる。
【００９６】
また、実施例の空気調和機１は、前記水生成部４４０の上方に、庇状の開口制限部材４２５ｂを設けた。
【００９７】
一般に、ペルチェ素子４４１の冷却板４２５の温度は放熱板３３８での放熱の良否と冷却板４２５が受ける熱負荷の大小によって定まる。放熱の良否と熱負荷の大小は熱交換部を流れる気流の単時間あたりの量と、気流と熱交換部との温湿度の差によって定まる。
【００９８】
冷却板４２５周囲の空気中の水分を結露させる場合、冷却板４２５の温度を露点温度以下にする必要がある。実施例の場合、熱交換部に入る気流の温度は室内空気の温度とほぼ等しく、調整することはできない。また、放熱板３３８を流れる気流は多いほうが放熱が良好になって、冷却板４２５の温度を下げるのに効果があるが、冷却板４２５を流れる気流は多すぎると、冷却板４２５の熱負荷が大きくなり過ぎて冷却板４２５の温度が上がり、露点温度を超えて結露が生じなくなる。逆に、冷却板４２５を流れる気流が少なすぎると、結露は生じるものの結露の絶対量が少なくなり、十分な量の霧化用水を供給できなくなる。
【００９９】
また、実施例の場合、冷却板４２５を流れる気流の温度，湿度は冷却板４２５での吸熱量，結露量と、冷却空間開口４２５ｄでの副気流との混合によって交換される熱量，水分量とのバランスによって決まり、交換される熱量，水分量は冷却空間開口４２５ｄの形状、開口面積によって増減する。送風ファン３１１の運転や、放熱板３３８による自然対流によって生ずる副気流が変化すると冷却板４２５での結露の量が変化することが実験により確認されている。このため、放熱板３３８に流れる気流は十分な量を確保して、冷却板４２５に流れる気流と副気流との混合量を適正にする工夫が必要になる。
【０１００】
実施例の空気調和機１によれば、前記水生成部４４０の上方に、庇状の開口制限部材４２５ｂを設ける。
【０１０１】
これにより、冷却板４２５を流れる気流と副気流との混合による温湿度の交換が適正な範囲になるように、開口制限部材４２５ｂの大きさを変えて実験し、効果を確かめながら、開口制限部材４２５ｂの大きさを決定することができる。この開口制限部材４２５ｂの大きさは、水生成部４４０の上方隙間を小さくなるように極力大きくしている。但し、この開口制限部材４２５ｂの大きさは、隣接する部材との隙間寸法を組立て性も考慮して決める必要がある。
【０１０２】
このように開口制限部材４２５ｂを設けることにより、冷却板４２５の温度を露点温度以下になるようにすることができる。このため、水生成部４４０で霧化用水を確実に生成できる空気調和機１を提供することができる。
【実施例２】
【０１０３】
実施例２は副気流の出口の位置を実施例１の主気流の送風ファン３１１上流の風路壁に形成された開口２７ｃから、筐体２０の上面に変えたものである。具体的な位置の図示を省略するが、図１０の筐体２０の上面に設けられた除塵ブラシ２７０の左側の上面若しくは除塵ブラシ２７０と空気吸込み部２３０との間の上面に開口させるのが望ましい。
【０１０４】
実施例２における副気流は、ペルチェ素子４４１の駆動に伴なう高温部４４４の放熱板３３８からの放熱による上昇気流で生ずる。このため、空気調和機の熱交換器に室内空気を送風する送風ファン３１１を運転していない状態でも、静電霧化装置４２を運転し、ペルチェ素子４４１を駆動することで、帯電した微細粒の水を室内に放出し、室内の空気の質を高めることができる。
【０１０５】
このように、実施例の空気調和機は、熱交換器に室内空気を送風する送風ファン３１１と、静電霧化装置と、該静電霧化装置へ供給する霧化用水を生成する水生成部４４０と、該水生成部４４０に内蔵され、空気中の水分を結露させる冷却板４２５を冷却するペルチェ素子４４１と、該水生成部４４０で得られる結露水を前記霧化電極４２２ａに導く導水経路と、前記送風ファン３１１の運転により吸込み口から吹出し口に流れる主気流と、前記吹出し口の前記ペルチェ素子４４１側の端部から前記空気調和機の該ペルチェ素子４４１側の端部までの間の筐体の上下にそれぞれ設けた開口とを備え、前記ペルチェ素子４４１の吸放熱用の送風機無し若しくは送風機に通電せず、前記ペルチェ素子４４１に通電することにより、主気流とは別の、前記複数の開口を流入口，流出口とする流路に副気流を生ぜしめ、該副気流の流路中に前記ペルチェ素子４４１の高温部４４４に取付けられた放熱板３３８を位置させると共に、該副気流に臨んで上下に長い冷却空間開口４２５ｄを有する冷却空間を形成し、該冷却空間に面して前記冷却板４２５の面を鉛直方向に平行に設ける。
【０１０６】
これにより、副気流はペルチェ素子４４１の駆動による放熱板３３８に生ずる上昇気流によって引き起こされる。前記吹出し口の前記ペルチェ素子４４１側の端部から空気調和機筐体の該ペルチェ素子４４１側の端部までの間の筐体下方の開口２７ａから流入した副気流の大部分は、ペルチェ素子４４１の放熱板３３８からの熱を受け、上昇気流となって上昇し、該吹出し口の端部から空気調和機筐体の端部までの間の上方に設けられた開口２７ｃから流出する。
【０１０７】
このとき、冷却空間開口４２５ｄ付近を通る副気流は、上記の冷却空間の自然対流と混合し、その一部が内部の自然対流と入替わる。
【０１０８】
このように、ペルチェ素子４４１に通電することにより、冷却空間と冷却空間外の空気を流動させる副気流が生じるので、水生成部４４０のための専用のファンが不要となり、資源を節約し、軽量化が図れる。また、水生成部４４０用のファンを運転するためのエネルギーも不要となる。
【０１０９】
また、水生成部４４０のためのファンが無いので、空気調和機が冷房，暖房，除湿，送風等の運転をしていないときでも静電霧化装置だけの運転ができ、低騒音で室内を脱臭して質の高い環境に維持することができる。
【０１１０】
このため、静電霧化装置を搭載して、低騒音で室内環境を快適にしつつ、省資源，軽量，省エネに適する空気調和機を提供することができる。
【０１１１】
また、実施例の空気調和機は、前記筐体に設けた開口の一つが筐体上面に開口している。
【０１１２】
これにより、使用者の目に付かない上面に開口することで、外観を損なうこと無く、副気流の出口を設けることでき、ペルチェ素子４４１の放熱による上昇気流が円滑に形成され、水生成部４４０が十分冷却されて、結露が順調に進む。
【０１１３】
このため、外観を損なうこと無く、霧化用水の供給が確実に行われる空気調和機を提供することができる。
【実施例３】
【０１１４】
図３，図６，図９に図示の冷却板４２５の形状および大きさを変えた実施例を、図１１，図１２，図１３により説明する。
【０１１５】
図１１，図１２は水生成部を室内機の正面から見た部分断面図で、ペルチェ素子４４１の大きさと略同じ大きさの平板形状の冷却板４２５を用いたものである。図１３も水生成部を室内機の正面から見た部分断面図で、図３，図６，図９に図示の冷却板４２５を屈曲部４２５ａのない平板形状を用いたものである。
【０１１６】
冷却板４２５に凝縮した空気中の水分は、吸水性水搬送部材４２３，吸水性水搬送部材４２３ａなどの導水経路を経て、霧化電極４２２に供給される。霧化電極４２２の霧化部４２２ａで霧化した水分は、吹出し風路２９０の気流と共に室内に吹出される。上記吸水性水搬送部材４２３ａは、吸水性水搬送部材４２３と冷却板４２５との隙間を補って、上記冷却板４２５に凝縮した水を導水する。
【０１１７】
冷却板４２５の大きさは、ペルチェ素子４４１の大きさに対応した略同じ位の大きさが望ましい。ペルチェ素子４４１の大きさに較べて、小さ過ぎると結露する面積が減少してしまう。大き過ぎるとペルチェ素子４４１から離れた部分で温度が露点温度まで下がらない場合が想定される。このように、冷却板４２５の大きさが大き過ぎると、必要以上にスペースを大きくとる若しくは必要以上に冷却しなければならず、消費電力を多く要することになる場合がある。これは結露条件の悪い地域或いは季節によって結露する環境が大きく変化する地域で、問題になる虞がある。ペルチェ素子４４１の大きさに較べて大きい部分が冷却板４２５の下部に位置する場合は、冷却板４２５の温度が露点温度以下の部分で結露して流下する水滴が、この下部の露点温度より高い部分に至るとスムースに流下し難くなる。
【０１１８】
したがって、冷却板４２５の大きさがペルチェ素子４４１の大きさ（或いは冷却能力）に対応しない程に大き過ぎる場合は、結露した水滴が吸水性水搬送部材４２３ａまで流下若しくは落下するのを妨げることになる。これは、露点温度以下の部分では、結露が進行して水滴が大きくなるため、重力によりスムースに流下するが、露点温度より高い部分では結露しないため、水滴が表面張力により流下し難くなるからである。特に、図６の冷却板４２５のように、冷却板４２５の下端に屈曲部４２５ａを有するものは、結露条件の悪い地域若しくは環境下で使用する際に屈曲部４２５ａで結露せず、且つ屈曲部４２５ａの傾斜面を流下しなければならず、鉛直な面に較べて流下し難くなり、吸水性水搬送部材４２３への水の供給が不充分になる虞がある。
【０１１９】
これを解消する為には、ペルチェ素子４４１の冷却熱量を多くするように印加電力を制御すればよいが、その分だけ消費電力を多く要することになる。
【０１２０】
図１１，図１２に示す実施例は、図６に図示の冷却板４２５下端の屈曲部４２５ａの無いものとした。これによって、ペルチェ素子４４１で直接冷却されない屈曲部４２５ａでの放熱がなくなり、実施例１に較べて結露する部分の温度が低くなり、結露量が多くなる。更には、屈曲部４２５ａ、即ち傾斜面を流下しないことから、結露した水滴がスムースに流下若しくは落下し、導水経路の一部を構成する吸水性水搬送部材４２３ａへの水の供給を容易に出来る。
【０１２１】
また、図１２，図１３に示す実施例は、霧化ハウジング４３１に、冷却板４２５が配置された冷却空間４２５ｃと霧化部４２２ａの配置された主気流の空気吹出し口２９とを連通する通路を形成している。これにより、実線矢印のとおり空気吹出し口２９から送風される気流に誘引されて、冷却空間４２５ｃ内の空気が霧化ハウジング４３１内に流出し、空気吹出し口２９から室内に送風される。この冷却空間４２５ｃ内の空気が霧化ハウジング４３１内に流出することにより、冷却空間開口４２５ｄから水生成部４４０が収納された筐体内部空間の空気が、冷却空間４２５ｃ内に効率的に流入する。前記筐体内部空間の空気の気流は、放熱板３３８，放熱フィン３３８ａにより短時間であるが加熱される。この加熱された空気が冷却空間４２５ｃ内に流入するので、冬季などに空気調和機で暖房運転を開始直後のように、室内の壁面温度及び空気温度が低い場合でも、ペルチェ素子４４１の吸熱面側の冷却板４２５表面に結露した水分が凍結するを抑制できる。
【０１２２】
図１３実施例は、ペルチェ素子４４１の大きさを越えた冷却板４２５の下部の部分に、吸水性水搬送部材４２３ａを接触させ、冷却板４２５から吸水性水搬送部材４２３ａに結露水がスムーズに流れるようにした。しかし、図１３のような構成は、結露条件の良い地域或いは環境で使用するには適しているが、冷却板４２５の結露面の一部が吸水性水搬送部材４２３ａで覆われるため、冷却板４２５の一部が有効に使われない、或いは、第一の実施例程ではないがペルチェ素子の大きさを越えた冷却板４２５の下部で結露に寄与しない放熱があるので、消費電力の抑制の点では図１１，図１２に示す実施例と較べると不充分である。
【０１２３】
以上のことから、結露条件の悪い地域で使用する構成は、図１１，図１２に示す実施例のように、冷却板４２５の結露に寄与しない部分を小さくし、また、図１３で検討した吸水性水搬送部材４２３ａが接触する部分を冷却板４２５から除去して、吸水性水搬送部材４２３ａを冷却板４２５の下部と離して配置する構成が適している。図１１，図１２の構成は、冷却板４２５の全面を結露に有効に使用できると共に、結露に寄与しない放熱を抑制できる。
【０１２４】
図１１，図１２のように、上記冷却板４２５の下方に間隔を空けて設けられた吸水性水搬送部材４２３ａは、冷却板４２５の表面に結露して、滴下又は流下してくる水を受ける。この吸水性水搬送部材４２３ａ，４２３は、導水経路の一部を構成するものであり、結露した水が毛細管現象で移動するように多孔質や繊維質の素材で構成されている。吸水性水搬送部材４２３には、適所に穴を設け、この穴に前記の霧化電極４２２の一端の導水部４２２ｂを挿入する。これにより、吸水性水搬送部材４２３の毛細管現象により導びかれた水が、導水部４２２ｂを通して霧化部４２２ａに供給される。
【０１２５】
以上説明したように、空気調和用の送風ファンを運転し、ペルチェ素子に通電することにより、冷却空間と冷却空間外の空気を流動させるので、水生成部のための専用のファンが不要となり、資源の節約および軽量化が図れる。また、水生成部専用のファンを運転するためのエネルギーも不要となる。
【０１２６】
このため、静電霧化装置を搭載して、室内環境を快適にしつつ、省資源，軽量，省エネに適する空気調和機を提供することができる。
【０１２７】
また、冷却空間を形成し、該冷却空間に面して前記冷却板の面を鉛直方向に平行に設け、この冷却板の下方に間隔を空けて上記導水経路の一部を構成する吸水性水搬送部材を配置し、前記冷却板に結露した結露水を前記吸水性水搬送部材に滴下又は流下させる構成としている。これにより、冷却板の結露に寄与しない部分を小さくし、冷却板の全面を結露に有効に使用できると共に、結露に寄与しない放熱を抑制できる。
【０１２８】
また、送風ファン若しくはペルチェ素子の吸放熱用の送風機に通電せず、前記ペルチェ素子に通電することにより、主気流とは別の、前記複数の開口を流入口，流出口とする流路に副気流を生ぜしめ、該副気流の流路中に前記ペルチェ素子の高温部に取付けられた放熱板を位置させると共に、該副気流に臨んで上下に長い冷却空間開口を有する冷却空間を形成し、該冷却空間に面して前記冷却板の面を鉛直方向に平行に設けている。
【０１２９】
これにより、冷却空間と冷却空間外の空気を流動させるので、水生成部のための専用のファンが不要となり、資源を節約し、軽量化が図れる。また、水生成部ファンを運転するためのエネルギーも不要となる。
【０１３０】
また、水生成部のためのファンが無いので、空気調和機が冷房，暖房，除湿，送風等の運転をしていないときでも静電霧化装置だけの運転ができ、低騒音で室内を脱臭して質の高い環境に維持することができる。
【０１３１】
このため、静電霧化装置を搭載して、低騒音で室内環境を快適にしつつ、省資源，軽量，省エネに適する空気調和機を得ることができる。
【０１３２】
また、前記筐体に設けた開口の一つが背面下部に開口している。
【０１３３】
これにより、使用者の目に付かない背面に開口することで、外観を損なうこと無く、副気流の入口を設けることでき、ペルチェ素子の放熱による上昇気流が円滑に形成され、水生成部が十分冷却されて、結露が順調に進む。
【０１３４】
このため、外観を損なうこと無く、霧化用水の供給が確実に行われる空気調和機を得ることができる。
【０１３５】
また、前記風路壁に形成された開口がフィルターと熱交換器の間の風路に開口している。
【０１３６】
これにより、使用者の目に付かない内部に開口することで、外観を損なうこと無く、副気流の出口を設けることでき、上述と同様に、外観を損なうこと無く、霧化用水の供給が確実に行われる空気調和機を得ることができる。
【０１３７】
また、前記開口の一つが筐体上面に開口している。
【０１３８】
これにより、使用者の目に付かない上面に開口することで、上述と同様の空気調和機を得ることができる。
【０１３９】
また、前記放熱板に放熱フィンを備え、放熱フィンの長寸方向を鉛直方向に略平行（鉛直）にする。
【０１４０】
これにより、副気流の生成が熱交換器に室内空気を送風する送風ファンの運転に伴う誘引力や、前記放熱板からの放熱に伴う気流の熱膨張による上昇力によって生ずる副気流が放熱フィンに沿ってスムーズに上方に流れ、放熱が円滑に行われる。
【０１４１】
このため、放熱板の冷却が効率良く行われ、水生成部が十分冷却されて、結露が順調に進み、霧化用水の供給が確実に行われる空気調和機を得ることができる。
【０１４２】
また、前記水生成部の上方に、庇状の開口制限部材を設ける。
【０１４３】
これにより、冷却板を流れる気流と副気流との混合による温湿度の交換が適正な範囲になるように、開口制限部材の大きさを変えて実験し、効果を確かめながら、開口制限部材の大きさを決定することができる。
【０１４４】
このため、水生成部で霧化用水を確実に生成できる空気調和機を得ることができる。
【０１４５】
冷却板が配置された冷却空間と霧化部の配置された空気吹出し口とを連通する通路を形成し、冷却空間内の空気が空気吹出し口から室内に送風される構成とした。これにより、放熱板，放熱フィンにより加熱された筐体内部空間の空気が冷却空間内に効率的に流入するので、室内の壁面温度及び空気温度が低い場合でも冷却板表面に結露した水分が凍結するのを抑制できる。
【図面の簡単な説明】
【０１４６】
【図１】空気調和機の一例を示す構成図。
【図２】同空気調和機の室内機の側断面図。
【図３】実施例を示す室内機の静電霧化装置の構成模式図。
【図４】同霧化装置の水生成部を示す左側断面図。
【図５】同室内機の水生成部を示す斜視図。
【図６】同水生成部を室内機の正面から見た部分断面図。
【図７】同水生成部の背面図。
【図８】図７のＡ−Ａ断面図。
【図９】図７の部分Ｂ視図。
【図１０】同室内機の清掃装置の斜視図。
【図１１】図６と別な例の水生成部を室内機の正面から見た部分断面図。
【図１２】図６，図１１と別な例の水生成部を室内機の正面から見た部分断面図。
【図１３】図６，図１１，図１２と別な例の水生成部を室内機の正面から見た部分断面図。
【符号の説明】
【０１４７】
１  空気調和機
２  室内機
５  リモコン
６  室外機
８  接続配管
２０  筐体
２１  筐体ベース
２３  化粧枠
２５  前面パネル
２７  空気吸込み口
２７ａ  筐体背面開口
２７ｂ  筐体背面補助開口
２７ｃ  風路壁開口
２９  空気吹出し口
３３  室内熱交換器
３５  露受皿
３７  ドレン配管
４２  静電霧化装置
２３０，２３０′  空気吸込み部
２３１，２３１′  フィルター
２５１  可動パネル
２６２，２６２′  刷毛支持枠
２６７，２６７′  掃除用刷毛
２７０，２７０′  除塵ブラシ
２８１  除去塵埃ホッパー
２８１ｅ  集塵ボックス収納部
２８４  集塵ボックス
２８４ｃ  ツマミ部
２９０  吹出し風路
２９０ｃ  吹出し風路側壁
２９１  上下風向板
２９５  左右風向板
３１１  送風ファン
３１３  送風モータ
３３８  放熱板
３３８ａ  放熱フィン
３４０  内部流動空間
３４１  水源内気風路
３４３  水源内気風路壁
３９６  受光部
３９７  表示部
４２２  霧化電極
４２２ａ  霧化部
４２２ｂ  導水部
４２３  吸水性水搬送部材
４２３ａ  吸水性水搬送部材
４２４  霧化接続部
４２５  冷却板
４２５ａ  冷却板屈曲部
４２５ｂ  開口制限部材
４２５ｃ  冷却空間
４２５ｄ  冷却空間開口
４２８  イオン電極
４２９  導電体
４３０  放出部
４３１  霧化ハウジング
４３９  導電部
４４０  水生成部
４４１  ペルチェ素子
４４２  低温部
４４３  絶縁シート
４４４  高温部
４４７  結露水受け部材
４５０  高電圧発生装置
４５１  高電圧端子
４５２  接地端子
【図１】
0005183274.tif 000002
【図２】
0005183274.tif 000003
【図３】
0005183274.tif 000004
【図４】
0005183274.tif 000005
【図５】
0005183274.tif 000006
【図６】
0005183274.tif 000007
【図７】
0005183274.tif 000008
【図８】
0005183274.tif 000009
【図９】
0005183274.tif 000010
【図１０】
0005183274.tif 000011
【図１１】
0005183274.tif 000012
【図１２】
0005183274.tif 000013
【図１３】
0005183274.tif 000014